(57)【要約】【課題】１個の電源部に対して複数のＬＥＤ照明部を並列に接続するＬＥＤ照明装置では、いずれか１個のＬＥＤ照明部に断線故障が生じると、他の正常なＬＥＤ照明部に過大な電流が流れて故障してしまうおそれが生ずる。そこで、従来のＬＥＤ照明装置では、すべてのＬＥＤに対して分流回路を並列に設け、ＬＥＤ任意断線故障が生じても、電流がその分量回路を取って流れるようにしている。そのため、すべてのＬＥＤに対して分流回路を設けなければならず、ＬＥＤ照明装置全体のコストが高くなるばかりか、ＬＥＤ照明部が大型化する。【解決手段】複数のＬＥＤ照明部のうち電流が流れているＬＥＤ照明部の個数を検知し、ＬＥＤ照明部１個当たりの通常の電流値に、検知した電流が流れているＬＥＤ照明部の個数を掛けた値の電流値を超えないように電流値を減少させる。【選択図】  図１
2020087503.tif 000002
【特許請求の範囲】
【請求項１】
外部からの交流電力から直流電力を出力する１個の電源部と、この電源部から出力される電力を定電流制御する電流制御部とを備え、この電流制御部によって定電流制御される電力供給ラインに複数のＬＥＤ照明部を並列に接続したＬＥＤ照明装置において、上記複数のＬＥＤ照明部のうち電流が流れているＬＥＤ照明部の個数を検知し、ＬＥＤ照明部１個当たりの通常の電流値に、検知した電流が流れているＬＥＤ照明部の個数を掛けた値の電流値を超えないように、上記電流制御部が制御する電流値を可変制御し得ることを特徴とするＬＥＤ照明装置。
【請求項２】
上記電力供給ラインに並列接続されるＬＥＤ照明部の個数と、ＬＥＤ照明部１個当たりの通常の電流値に対して明るさが明らかに暗いと感じる非常時電流値とを設定しておき、上記検知した電流が流れているＬＥＤ照明部の個数がこの予め設定している個数よりも少ない場合に、上記非常時電流値に、検知した電流が流れているＬＥＤ照明部の個数を掛けた値の電流値を供給するように上記電流制御部を制御することを特徴とする請求項１に記載のＬＥＤ照明装置。
【発明の詳細な説明】
【技術分野】
【０００１】
本発明は、１系統の電力供給ラインに対して複数個のＬＥＤ照明部が並列に接続されたＬＥＤ照明装置に関する。
【背景技術】
【０００２】
複数個のＬＥＤ照明部を発光させる照明装置では、各ＬＥＤ照明部に対してそれぞれ専用の電源部を設け、その専用の電源部から定電流制御された電力を個々のＬＥＤ照明部に供給することは望ましいものの、そのような構成では電源部が複数個必要になるため、ＬＥＤ照明装置全体のコストが高くなる。
【０００３】
そこで、複数個のＬＥＤ照明部を同時に点消灯させるような場合には、１個の電源部を設け、その電源部から出力される電力供給ラインに対して複数個のＬＥＤ照明部を並列に接続してすべてのＬＥＤ照明部を１個の電源部で発光させることが考えられる。
【０００４】
ただし、このように１系統の電力供給ラインに対して複数個のＬＥＤ照明部を並列接続する構成では、電力供給ラインを介して供給される電力は定電流制御されているため、複数個のＬＥＤ照明部の一部に断線故障が生じて、その故障が生じたＬＥＤ照明部に電流が流れない状態が発生すると、故障したＬＥＤ照明部に流れるべき電流が他の故障していないＬＥＤ照明部に流れてしまい、故障していないＬＥＤ照明部が次々と連鎖的に故障してしまうおそれが生じる。
【０００５】
そこで、ＬＥＤ照明部に内蔵されているすべてのＬＥＤに対して分流回路を設け、いずれかのＬＥＤに断線故障が生じると、その断線したＬＥＤに対して設けられている分流回路を閉じ、断線故障したＬＥＤに流れるべき電流を分流回路側に流し、他の故障していないＬＥＤに過大な電流が流れないように構成したものが提案されている（例えば、特許文献１参照）。
【先行技術文献】
【特許文献】
【０００６】
【特許文献１】特開２００８−１３０９８９号公報（図１）
【発明の概要】
【発明が解決しようとする課題】
【０００７】
上記従来のＬＥＤ照明装置では、すべてのＬＥＤに対して分流回路を設けなければならないため、ＬＥＤ照明装置全体のコストが高くなるばかりか、分流回路を組み込まなければならないのでＬＥＤ照明部が大型化するという不具合が生じる。また、複数のＬＥＤが組み込まれたＬＥＤ照明部が複数個並列に接続されているような場合には、１個のＬＥＤ照明部内の一部のＬＥＤが断線故障しても、その断線故障したＬＥＤを内蔵しているＬＥＤ照明部全体としては発光し続けるので、故障が生じたことを外部から発見しづらいという不具合も生じる。
【０００８】
そこで本発明は、上記の問題点に鑑み、上記不具合の生じないＬＥＤ照明装置を提供することを課題とする。
【課題を解決するための手段】
【０００９】
上記課題を解決するために本発明によるＬＥＤ照明装置は、外部からの交流電力から直流電力を出力する１個の電源部と、この電源部から出力される電力を定電流制御する電流制御部とを備え、この電流制御部によって定電流制御される電力供給ラインに複数のＬＥＤ照明部を並列に接続したＬＥＤ照明装置において、上記複数のＬＥＤ照明部のうち電流が流れているＬＥＤ照明部の個数を検知し、ＬＥＤ照明部１個当たりの通常の電流値に、検知した電流が流れているＬＥＤ照明部の個数を掛けた値の電流値を超えないように、上記電流制御部が制御する電流値を可変制御し得ることを特徴とする。
【００１０】
本発明では、上述の従来の発明のように各ＬＥＤに分流回路を設けるのではなく、ＬＥＤが断線故障した場合にはそのまま消灯させる。ただし、断線故障したＬＥＤに流れるべき電流が他の単線故障していないＬＥＤに流れると、その断線故障していないＬＥＤも故障するおそれが生じるので、並列接続されている残りのＬＥＤ照明部に供給する電流値が過大にならないように全体としての電流値を減少させるようにした。
【００１１】
なお、並列接続されている複数のＬＥＤ照明部のうちの例えば１個が消灯した状態で他のＬＥＤ照明部が通常の明るさで点灯し続ければ、１個のＬＥＤ照明部が消灯したことに気づかない場合が考えられる。そのような場合には、上記電力供給ラインに並列接続されるＬＥＤ照明部の個数と、ＬＥＤ照明部１個当たりの通常の電流値に対して明るさが明らかに暗いと感じる非常時電流値とを設定しておき、上記検知した電流が流れているＬＥＤ照明部の個数がこの予め設定している個数よりも少ない場合に、上記非常時電流値に、検知した電流が流れているＬＥＤ照明部の個数を掛けた値の電流値を供給するように上記電流制御部を制御することが望ましい。
【発明の効果】
【００１２】
以上の説明から明らかなように、本発明は、コスト高を招く分流回路などを設けることなく、並列接続されている複数のＬＥＤ照明部の一部に断線故障が生じた場合であっても、他の故障していないＬＥＤ照明部を点灯し続けることによって、すべてのＬＥＤ照明部が消灯してしまう事態を回避して、継続して明るさを確保することができる。
【図面の簡単な説明】
【００１３】
【図１】本発明の一実施の形態の回路構成を示す図
【発明を実施するための形態】
【００１４】
図１を参照して、１は本発明によるＬＥＤ照明装置の制御部である。この制御部１には外部の交流電源１１から点消灯用のスイッチ１２を介して交流電力が供給される。供給された交流電力は整流部１３で整流された後、コンバータ１４で電圧が調整されて出力される。このコンバータ１４の＋側の出力にはＦＥＴからなる電流制御部２１が設けられている。この電流制御部２１はマイコン２からの信号によってオン・オフのデューティ比が制御され、この電流制御部２１を通過する電流値が所定の電流値になるように定電流制御される。なお、その電流値をフィードバック制御するために、電流検知用の抵抗１４０が設けられており、この抵抗１４０のプラス側の分圧点Ａの電圧がマイコン２に入力される。
【００１５】
このように、定電流制御された直流電力は電力供給ラインであるプラス側ライン３１とマイナス側ライン３２とによってＬＥＤ照明部４，５，６に供給される。なお、各ＬＥＤ照明部４，５，６にはマイナス側ライン３２との間に断線故障検出用の抵抗４１，５１，６１が設けられている。そして、これら抵抗４１，５１，６１の分圧（分圧点４ａ。５ａ。６ａの電圧）は各々マイコン２に入力されるように構成されている。
【００１６】
ＬＥＤ照明部４を例に説明すると、プラス側ライン３１からＬＥＤ照明部４内のＬＥＤを通過した電流は抵抗４１および抵抗１４０を通ってコンバータ１４のマイナス側に流れる。ＬＥＤ照明部４，５，６は並列接続されているので、すべてのＬＥＤ照明部を流れた電流はすべて抵抗１４０を通ってコンバータに戻るので、すべてのＬＥＤ照明部４，５，６を流れた電流の合計値に比例する分圧が分圧点Ａに生じる。その分圧点Ａの電圧がマイコン２に入力されるので、マイコン２はその分圧点Ａの電圧が一定になるように電流制御部２１を制御する。
【００１７】
その状態で、例えばＬＥＤ照明部４内のＬＥＤに断線故障が生じると、分圧点Ａの電圧が下がるので、マイコン２は電流値を増加しようとするが、その状態で電流値を増加させてしまうと、断線故障が生じていない他のＬＥＤ照明部５，６に過大な電流が流れてしまうことになる。
【００１８】
一方、上述のようにＬＥＤ照明部４に断線故障が生じると、分圧点４ａの電圧がマイナス側に引かれて下がることになる。この分圧点４ａの電圧はマイコン２に入力されているので、マイコン２はＬＥＤ照明部４に断線故障が生じたことを検知することができる。マイコン２には予めＬＥＤ照明部１個あたりの定格の電流値が記憶されており、３個のＬＥＤ照明部４，５，６が接続されている状態では、その定格の電流値の３倍の電流値が流れるように定電流制御しているが、上述のように、ＬＥＤ照明部４が断線故障すると、その定格の電流値の２倍の電流値が流れるように電流制御部２１を制御して、断線していないＬＥＤ照明部５，６にはそれまでと同じ値の電流が流れるように制御する。
【００１９】
上記説明ではＬＥＤ照明部４に断線故障が生じた場合について説明したが、ＬＥＤ照明部５に断線故障が生じると、分圧点５ａの電圧値で断線故障の発生を検知することができ、同じくＬＥＤ照明部６に断線故障が生じた場合には、分圧点６ａの電圧からＬＥＤ照明部６に断線故障が生じたことを検知することができる。
【００２０】
ところで、上記の説明では、３個のＬＥＤ照明部が並列接続されている状態で１個のＬＥＤ照明部に断線故障が生じると、１個あたりの定格の電流値の３倍の電流値を流していた状態から２倍の電流値が流れるように電流値を減少させた。このように制御することによって、断線故障していないＬＥＤ照明部はそれまでと同じ明るさで点灯し続けることができる。ただし、断線故障が生じていないＬＥＤ照明部の明るさが変化しなければ、１個のＬＥＤ照明部に断線故障が生じたことに気づきにくい場合が生じる。そこで、３個のＬＥＤ照明部のうちの１個のＬＥＤ照明部に断線故障が生じると、それまでは定格の電流値の３倍の電流値を流していた状態から定格の電流値の２倍の電流値に減少するのではなく、更に低い電流値、例えば２倍ではなく１倍の定格の電流値まで下げることによって、断線故障していないＬＥＤ照明部に定格の半分の電流しか流さず、明るさをそれまでよりも明らかに暗くなるように点灯させ、そのことによっていずれかのＬＥＤ照明部に断線故障が生じたことがわかりやすくなるようにしてもよい。
【００２１】
なお、本発明は上記した形態に限定されるものではなく、例えば、３個のＬＥＤ照明部を並列接続しだが、４個、もしくはそれ以上のＬＥＤ照明部を並列接続してもよい。すなわち、本発明の要旨を逸脱しない範囲内において種々の変更を加えてもかまわない。
【符号の説明】
【００２２】
１ 制御部
２ マイコン
４，５，６ ＬＥＤ照明部
２１ 電流制御部
【図１】
2020087503.tif 000003